(57)【要約】【課題】メニューの階層を上位から下位にたどることなしに、利用者ができるだけ少ない操作で所望の操作項目に到達できるようにした表示制御装置を提供する。【解決手段】利用者は、図６（ａ）の５０音表の中から、「下に動かす」の先頭文字である「し」を選択する。表示部１１では、選択した「し」が選択されていることを示すために網掛け表示や着色表示等がなされる。５０音表に記載されているひらがなを先頭文字とする操作案内の用語あるいは文章が各ひらがなに対応づけてメモリ部に記憶されている。マイコンは、「し」を先頭文字とする操作案内項目をメモリ部から読み出して、図６（ｂ）に示すように、操作案内項目を表示部１１に表示する。【選択図】図６
2007219801.tif 000002
【特許請求の範囲】
【請求項１】
利用者が機器の操作を行う際に、表示手段に操作案内項目を提示する表示制御装置において、
所定言語に使用される文字のリストと、該文字に対応させて該文字を先頭文字とする操作案内項目のリストとを記憶する記憶手段と、
前記文字リストを前記記憶手段から読み出して前記表示手段に表示し、利用者が文字を選択した場合、該選択文字に対応する前記操作案内項目リストを前記記憶手段から読み出して前記表示手段に表示する制御手段とを備えたことを特徴とする表示制御装置。
【請求項２】
前記操作案内項目は、操作内容を文章で表現したものであることを特徴とする請求項１に記載の表示制御装置。
【請求項３】
前記記憶手段は、前記操作案内項目リストとして、一つの操作に対して異なる複数の文字表現を登録してあることを特徴とする請求項１又は２に記載の表示制御装置。
【請求項４】
前記文字リストはひらがなの５０音表であることを特徴とする請求項１、２又は３に記載の表示制御装置。
【請求項５】
前記文字リストはアルファベットであることを特徴とする請求項１、２又は３に記載の表示制御装置。
【発明の詳細な説明】
【技術分野】
【０００１】
本発明は、操作内容を表示して利用者が操作を容易にする表示制御装置に関するものであり、特に、テレビジョン受像機やＤＶＤレコーダ等のＡＶ機器に有用である。
【背景技術】
【０００２】
近年、テレビジョン受像機やＨＤＤ／ＤＶＤレコーダ等のＡＶ機器における多機能化が進んでおり、リモコン等の操作部に、すべての機能操作キーを設けることは、もはや不可能である。そこで、利用者ができるだけ容易に機能を使いなせるように、操作項目の提示方法に工夫がなされている。一般には、特許文献１に記載にあるように、操作項目を階層型メニュー化して、液晶パネル等の表示部にメニューを表示する。例えば、図７に示すように、第１階層５１、第２階層５２、第３階層５３，５４，５５，５６の３階層のメニューを構成して、利用者が所望の操作項目を選択するごとに、次の操作に関連するメニューを順次表示して、豊富な機能をできるだけ操作しやすく提示している。
【０００３】
しかしながら、このような階層型メニュー形式であると、目的の操作項目に到達するまでに、数層にわたって階層を通過しなければならない場合があり、操作が煩雑となるという問題があった。また、機能が豊富であるため、階層化しても１階層の項目数が多く、さらに下層に存在する目的の操作項目がどこにあるか分からず、結局、取り扱い説明書を見ながら操作する場合もある。
【０００４】
そこで、特許文献１の発明においては、利用者が階層型メニューをカスタマイズできるようにして、利用者にとって使いやすいメニュー表示にできるものが開示されている。例えば、よく使う項目は上位の階層に移動してすぐ表示できるようにしたり、使わない項目を削除したりできる。
【特許文献１】特開平０９−３０５３６０号公報
【発明の開示】
【発明が解決しようとする課題】
【０００５】
しかしながら、結局、カスタマイズしたメニューは、そのカスタマイズした利用者にしか使えないものとなる可能性が高く、例えば、家族で使用する場合には、決して便利とは言い難い。家族一人一人に、カスタマイズメニューを作成することも考えられるが、カスタマイズ化する操作が必要になって、結局利用者にとって操作が煩雑となってしまう。また、あまり使わない機能の部分は忘れてしまい、いざその機能を使用する段になって、結局元のメニューを使用する場合もあり得る。
【０００６】
本発明は、斯かる実情に鑑み、メニューの階層を上位から下位にたどることなしに、利用者ができるだけ少ない操作で所望の操作項目に到達できるようにした表示制御装置を提供しようとするものである。
【課題を解決するための手段】
【０００７】
本発明は、利用者が機器の操作を行う際に、表示手段に操作案内項目を提示する表示制御装置において、所定言語に使用される文字のリストと、該文字に対応させて該文字を先頭文字とする操作案内項目のリストとを記憶する記憶手段と、前記文字リストを前記記憶手段から読み出して前記表示手段に表示し、利用者が文字を選択した場合、該選択文字に対応する前記操作案内項目リストを前記記憶手段から読み出して前記表示手段に表示する制御手段とを備えたことを特徴とする。
【０００８】
前記操作案内項目は、操作内容を文章で表現したものであることを特徴とする。
【０００９】
前記記憶手段は、前記操作案内項目リストとして、一つの操作に対して異なる複数の文字表現を登録してあることを特徴とする。
【００１０】
前記文字リストはひらがなの５０音表であってもよいし、アルファベットであってもよい。
【発明の効果】
【００１１】
本発明は、選択入力手段により利用者が表示手段に表示された文字リストから文字を選択した場合、該文字に関連する操作項目リストを記憶手段から読み出して表示手段に表示するので、利用者は、操作項目の文字を思い浮かべて該当する文字を選択するだけで、目的とする操作項目に簡単に到達できる。従って、階層メニュー方式に比較して、何層にもわたるメニュー階層をたどる必要が無く、操作が簡単になる利点がある。
【００１２】
また、操作項目を操作に該当する文章で表現されているので、利用者は表示されたときに、操作内容を把握しやすい。しかも、操作に該当する文章については、利用者が思いつくであろう表現を複数登録してあれば、利用者が思いついた表現で簡単に操作項目たどり着くことができる。
【発明を実施するための最良の形態】
【００１３】
以下、本発明の実施の形態を添付図面を参照して説明する。
【００１４】
図１は本発明に係る表示制御装置を用いた液晶テレビジョン受像機の一例を示すブロック図であり、図２はこの液晶テレビジョン受信機の外観図である。
この液晶テレビジョン受像機１０は、液晶ディスプレイである表示部１１と、表示部１１を制御する表示コントロール部１２と、表示部１１の背面に設けられたバックライト１３と、バックライトを駆動するインバータ部１４と、ＡＶ機器等からの映像信号を入力するＡＶ端子部１５と、チャンネル信号を抽出するチューナ部１６と、メニュー表示のためのデータ等を記憶するメモリ部１７と、電源部１８と、外部に存在して利用者が入力を行うためのリモコン２１と、リモコン２１からの信号を受光するリモコン受光部１９と、各部を制御するマイコン部２０とから構成される。特に、表示コントロール部１２と、メモリ部１７と、マイコン部２０が、表示制御部２２を構成している。
【００１５】
図３は、リモコンの一例を示す外観図である。
図１及び図２に示すように、リモコン２１は自身に配置された赤外線発光素子等からの発振手段によって信号を発し、それをリモコン受光部１９で受信し、その受信した信号によってマイコン２０が処理を実行する。図３に示すように、リモコン２１は、電源キー３１、上下左右の方向指示キー３２、処理を決定する決定キー３３、従来の階層メニューを表示させるメニューキー３４、操作案内画面を表示する操作案内キー３５、処理を一段前に戻す戻るキー３６、終了キー３７、テンキー３８等を備える。方向指示キー３２は表示されている選択項目を選択する際に選択項目を移動するためのキーであり、決定キー３３は選択された選択項目の選択を確定するためのキーである。
【００１６】
次に、液晶テレビジョン受像機１０の操作について説明する。
この液晶テレビジョン受像機１０は、従来の階層メニューの表示による操作とは異なる操作案内表示による操作が可能である。操作案内表示とは、利用者が操作内容を言葉や文章として捉え、その文字から操作項目を表示する方式をいう。
なお、この液晶テレビジョン受像機１０は、リモコン２１のメニューキー３４を押圧することにより、従来の階層メニュー表示による操作も可能であるが、ここでは詳しい説明は省略する。
【００１７】
図４は、この液晶テレビジョン受像機の操作案内表示の手順を示すフローチャートである。図５は操作案内項目表の一例を示す図であり、図６は操作案内の表示内容を示す図である。ここでの操作は、画面を下に動かすという操作を例として説明する。
【００１８】
テレビジョン受像機１０は、ＡＶ端子部１５を介して入力された映像信号はチューナ部１６で所定チャンネルの信号が選択される。そして、チューナ部１６により選択された信号は映像中間周波信号に変換され、マイコン部２０を通じて表示コントロール部１２に出力される。表示コントロール部１２では、映像中間周波信号をＲ，Ｇ，Ｂ信号に変換して液晶ディスプレイの表示部１１に表示する。表示部１１の裏側に配置されたバックライト１３は、インバータ部１４により駆動されて光を表示部１１に照射し画面の明るさを保っている。
【００１９】
上記のように映像を表示中に、利用者が何かの操作を行おうとした場合、リモコン２１の操作案内キー３５を押すことによって、リモコン受光部１９に指示信号が入力され、操作案内キーが押されたという信号がマイコン２０に送出される。以降、マイコン部２０は、メモリ部１７から操作案内に関する画像を読み出し、表示コントロール部を介して表示部１１にＯＳＤ表示を行うことになる。
【００２０】
まず、マイコン部２０は、リモコン２１の操作案内キー３５が利用者によって押されたかを確認する（ステップＳ１）。操作案内キー３５が押されていれば、図６（ａ）に示すように、ひらがなの５０音の表が表示部１１に表示される（ステップＳ２）。利用者は画面を下に移動する操作を行いたい場合に、「下に動かす」という文言を思いついたとする。そこで、利用者は、方向指示キー３２を使用して、５０音表の中から、「下に動かす」の先頭文字である「し」を選択する。表示部１１では、選択した「し」が選択されていることを示すために網掛け表示や着色表示等がなされる。そして、「し」が網掛け表示や着色表示されていることを確認した利用者は、決定キー３３を押す。
【００２１】
ここで、前記５０音表はメモリ部１７にあらかじめ記憶されている。また、メモリ部１７には図６（ｂ）に示す操作案内項目表が記憶されている。すなわち、５０音表に記載されているひらがなを先頭文字とする操作案内の用語あるいは文章が、各ひらがなに対応づけて記憶されている。例えば、ひらがなの「し」に対応づけて「下に動かす」「ＣＳ放送を見る」「シネマモードにする」「省エネ設定」「上下調整」「白を強調する」「出荷時の設定にする」等が登録されている。また、「下に動かす」と同様の意味のもので、例えば、ひらがなの「か」に対応づけて「下方に移動する」が登録されている。一つの操作内容に対して利用者が考えそうな言葉を複数用意することによって、利用者が目的の操作に対応した言葉を探すことができるだけないようにして、利便性を高めている。
【００２２】
次に、マイコン２０は、５０音表から文字が選択されて決定キー３３が押されたかを確認する（ステップＳ３）。マイコン２０は、「し」を先頭文字とする操作案内項目をメモリ部１７から読み出して、図６（ｂ）に示すように、表示部１１に表示する（ステップＳ４）。利用者は方向指示キー３２を使用して「下に動かす」部分を選択する。この場合も、選択された項目は網かけ表示あるいは着色表示等がなされて、選択されていることを示す。利用者は、「下に動かす」が網かけ表示あるいは着色表示等がなされていることを確認後、決定キー３６を押す。
【００２３】
マイコン２０は、操作案内項目が選択されて、決定キー３３が押されたかを確認し（ステップＳ５）、押されていれば、選択された操作項目の操作や設定画面をメモリ１７から読み出して、例えば図６（ｃ）に示すように、表示部１１に表示する（ステップＳ６）。「下に動かす」操作の場合は、図６（ｃ）にあるように、設定画面が垂直方向と水平方向の位置移動設定の画面であり、方向指示キー３２を使用して、垂直方向の位置をスライドを動かすことにより設定することができる。マイコン２０は、操作条件が設定されたかを確認し（ステップＳ７）、設定されていれば、その処理を実行する（ステップＳ８）。こうして、設定された条件に従って、マイコン２０は画面を下方向に移動する。
【００２４】
こうして目的の操作が終了すると、利用者はリモコン２１の終了キー３７を押す。マイコン２０は、これを検出して、操作案内画面を終了する（ステップＳ１０）。次に、マイコンは、出荷状態と設定が異なった場合は、メモリ部１７の「ユーザ設定登録」に変更項目を記録する。
【００２５】
上記実施形態においては、液晶テレビジョン受像機としたが、表示部はブラウン管でもプラズマパネルでも構わない。また、ひらがなの５０音表であったが、アルファベッドでも、数字でも良い。すなわち、使用する言語の文字リストであればよい。
【００２６】
この発明により、操作をしたくても意図する操作画面を表示する事ができなかったり、意図する操作画面を表示するのに、多くの時間を使っていた利用者にとって、リモコン操作で、表示画面上に利用者が操作したいと思う観念を文字化することで、意図する操作画面に到達できるので、操作が簡単で、取扱説明書を使わずに操作できる。従って、今まで操作経験の少ない利用者でも簡単に調整、変更が行なえる。
【００２７】
また、従来の階層型メニューでは意図する操作項目がどこにあるかが分かりづらく、何度も各層を探して時間がかかる場合があったが、表示画面上に利用者が操作したいと思う観念を文字化して、その文字から意図する操作画面に到達できるため、処理の迅速化を図ることができる。
【図面の簡単な説明】
【００２８】
【図１】本発明に係る表示制御装置を用いた液晶テレビジョン受像機の一例を示すブロック図である。
【図２】液晶テレビジョン受信機の外観図である。
【図３】リモコンの一例を示す外観図である。
【図４】液晶テレビジョン受像機の操作案内表示の手順を示すフローチャートである。
【図５】操作案内項目表の一例を示す図である。
【図６】操作案内の表示内容を示す図である。
【図７】従来の階層メニューを示す図である。
【符号の説明】
【００２９】
１０  液晶テレビジョン受像機
１１  表示部
１２  表示コントロール部
１３  バックライト
１４  インバータ部
１５  ＡＶ端子部
１６  チューナ部
１７  メモリ部
１８  電源部
１９  リモコン受光部
２０  マイコン部
２１  リモコン
２２  表示制御部
３１  電源キー
３２  方向指示キー
３３  決定キー
３４  メニューキー
３５  操作案内キー
３６  戻るキー
３７  終了キー
３８  テンキー
【図１】
2007219801.tif 000003
【図２】
2007219801.tif 000004
【図３】
2007219801.tif 000005
【図４】
2007219801.tif 000006
【図５】
2007219801.tif 000007
【図６】
2007219801.tif 000008
【図７】
2007219801.tif 000009